(57)【要約】【課題】  美観に優れ、しかも、殺菌水の吐出と原水の吐出との切り替えの操作を容易に行うことができる、水栓装置を提供する。【解決手段】  この水栓装置１は、水栓取付部２に取り付けられる水栓本体３と、原水に処理を加えてオゾン水を生成するオゾン水生成器４とを備える。ここで、水栓装置１は、水栓本体３の吐出部３ａからの、前記オゾン水の吐出と前記原水の吐出との切り替えを制御する制御手段５と、その制御手段５による制御を操作するための操作部３ｂとを有する。また、操作部３ｂは、吐出部３ａとともに、水栓取付部２の表側に位置するように配備される。そして、オゾン水生成器４は、水栓取付部２の裏側の空間２ａに隠蔽されるように配備され、かつ、そのオゾン水生成器４によって生成された前記オゾン水が、水栓本体３に送られるようになっている。【選択図】  図１
2010090586.tif 000002
【特許請求の範囲】
【請求項１】
水栓取付部に取り付けられる水栓本体と、原水に処理を加えて殺菌水を生成する殺菌水生成器とを備える水栓装置であって、
前記水栓本体の吐出部からの、前記殺菌水の吐出と前記原水の吐出との切り替えを制御する制御手段と、その制御手段による制御を操作するための操作部とを有し、
その操作部は、前記吐出部とともに、前記水栓取付部の表側に位置するように配備され、
前記殺菌水生成器は、前記水栓取付部の、裏側の空間あるいは裏側に通じる空間に隠蔽されるように配備され、かつ、その殺菌水生成器によって生成された前記殺菌水が、前記水栓本体に送られるようになっている、水栓装置。
【請求項２】
前記原水を前記水栓本体内に引き込む原水引き込み路が、前記水栓本体内で、前記吐出部に前記殺菌水を供給する殺菌水供給路と、前記吐出部に前記原水を供給する原水供給路とに分岐し、かつ、
前記殺菌水供給路は、前記水栓本体内に引き込まれた前記原水が前記殺菌水生成器に送られて、前記殺菌水が生成され、生成されたその殺菌水が、前記水栓本体に送られて、前記吐出部に供給されるように形成され、
前記制御手段は、前記殺菌水供給路の、前記殺菌水生成器より上流側に設けられて、前記原水の前記殺菌水生成器への供給とその供給の停止とを切り替える第１のバルブと、前記原水供給路に設けられて、前記原水の前記吐出部への供給とその供給の停止とを切り替える第２のバルブとを備え、
前記第１のバルブによる、前記原水の前記殺菌水生成器への供給とその供給の停止との切り替えに連動して、前記殺菌水の前記吐出部への供給とその供給の停止とが切り替えられるようになっている、請求項１に記載の水栓装置。
【請求項３】
前記原水引き込み路は、前記原水としての水を前記水栓本体内に引き込む水引き込み路となっており、かつ、
前記吐出部に供給する湯を前記水栓本体内に引き込む湯引き込み路が、前記水栓本体内で、前記原水供給路と合流するとともに、それら湯引き込み路と原水供給路との合流部分には、湯水混合バルブが設けられ、
その湯水混合バルブが、前記第２のバルブを兼ねている、請求項２に記載の水栓装置。
【請求項４】
前記水栓取付部は、流し台のシンク周縁部、または、洗面台あるいは手洗台のボール周縁部からなり、前記水栓本体は、その水栓取付部の上面側に取り付けられ、かつ、
前記水栓取付部の下方には、キャビネットが設けられ、前記殺菌水生成器は、前記キャビネット内に形成された前記空間に隠蔽されるようにして配備される、請求項１ないし３のいずれか１項に記載の水栓装置。
【請求項５】
前記殺菌水が、オゾン水からなるとともに、前記殺菌水生成器が、前記オゾン水を生成するオゾン水生成器からなり、あるいは、
前記殺菌水が、電解次亜水からなるとともに、前記殺菌水生成器が、前記電解次亜水を生成する電解次亜水生成器からなる、請求項１ないし４のいずれか１項に記載の水栓装置。
【発明の詳細な説明】
【技術分野】
【０００１】
この発明は、殺菌水生成器を備えた水栓装置に関する。
【背景技術】
【０００２】
従来、殺菌水を生成する殺菌水生成器として、例えば、殺菌水としてのオゾン水を生成するオゾン水生成器があった（例えば、特許文献１参照）。このオゾン水生成器は、蛇口の口元に取り付けられる本体と、その本体に送り管を介して接続されるオゾン発生器とを備えていた。そして、オゾン発生器でオゾンを発生させると、そのオゾンが、送り管を通って前記本体内に送り込まれ、さらに、蛇口から前記本体に流入した原水に混合溶解されて、オゾン水が生成された。こうして生成されたオゾン水は、前記本体に設けられた流出口より吐出された。また、このオゾン水生成器は、切替レバーを備えており、その切替レバーによって、オゾン水の吐出と原水の吐出との切り替えを行っていた。
【特許文献１】特開２００４−８４４４５号公報
【発明の開示】
【発明が解決しようとする課題】
【０００３】
しかしながら、上記したオゾン水生成器にあっては、そのオゾン水生成器を構成する構成部材（本体、オゾン発生器、送り管等）が蛇口の周囲に露出し、美観上好ましくなかった。
【０００４】
この発明は、上記した従来の欠点を解決するためになされたものであり、その目的とするところは、美観に優れ、しかも、殺菌水の吐出と原水の吐出との切り替えの操作を容易に行うことができる水栓装置を提供することにある。
【課題を解決するための手段】
【０００５】
この発明に係る水栓装置は、前記目的を達成するために、次の構成からなる。すなわち、
請求項１に記載の発明に係る水栓装置は、水栓取付部に取り付けられる水栓本体と、原水に処理を加えて殺菌水を生成する殺菌水生成器とを備える。ここで、この水栓装置は、前記水栓本体の吐出部からの、前記殺菌水の吐出と前記原水の吐出との切り替えを制御する制御手段と、その制御手段による制御を操作するための操作部とを有する。また、その操作部は、前記吐出部とともに、前記水栓取付部の表側に位置するように配備される。そして、前記殺菌水生成器は、前記水栓取付部の、裏側の空間あるいは裏側に通じる空間に隠蔽されるように配備され、かつ、その殺菌水生成器によって生成された前記殺菌水が、前記水栓本体に送られるようになっている。
【０００６】
この水栓装置にあっては、殺菌水生成器が、水栓取付部の、裏側の空間あるいは裏側に通じる空間に隠蔽されるようにして配備されているため、水栓取付部の表側での美観に優れる。しかも、制御手段を操作するための操作部が、水栓取付部の表側に位置するように配備されるため、殺菌水の吐出と原水の吐出との切り替えの操作を容易に行うことができる。なお、この明細書で「殺菌水」とは、殺菌作用を有する成分が溶け込んだ水（湯）をいう。
【０００７】
また、請求項２に記載の発明に係る水栓装置のように、請求項１に記載の水栓装置において、前記原水を前記水栓本体内に引き込む原水引き込み路が、前記水栓本体内で、前記吐出部に前記殺菌水を供給する殺菌水供給路と、前記吐出部に前記原水を供給する原水供給路とに分岐し、かつ、前記殺菌水供給路は、前記水栓本体内に引き込まれた前記原水が前記殺菌水生成器に送られて、前記殺菌水が生成され、生成されたその殺菌水が、前記水栓本体に送られて、前記吐出部に供給されるように形成され、前記制御手段は、前記殺菌水供給路の、前記殺菌水生成器より上流側に設けられて、前記原水の前記殺菌水生成器への供給とその供給の停止とを切り替える第１のバルブと、前記原水供給路に設けられて、前記原水の前記吐出部への供給とその供給の停止とを切り替える第２のバルブとを備え、前記第１のバルブによる、前記原水の前記殺菌水生成器への供給とその供給の停止との切り替えに連動して、前記殺菌水の前記吐出部への供給とその供給の停止とが切り替えられるようになってもよい。この水栓装置にあっては、第１のバルブを開閉することによって、原水の殺菌水生成器への供給とその供給の停止とが切り替えられる。そして、この切り替えに連動して、殺菌水の吐出部への供給とその供給の停止とが切り替えられる。また、第２のバルブを開閉することによって、原水の吐出部への供給とその供給の停止とが切り替えられる。こうして、第１のバルブと第２のバルブとで、殺菌水と原水とを切り替えて吐出部に供給することによって、殺菌水の吐出と原水の吐出との切り替えを制御する。また、第１のバルブは、殺菌水供給路の、殺菌水生成器より上流側に設けられているため、第１のバルブを閉じても、原水の過大な水圧が殺菌水生成器にかかることはない。
【０００８】
また、請求項３に記載の発明に係る水栓装置のように、請求項２に記載の水栓装置において、前記原水引き込み路は、前記原水としての水を前記水栓本体内に引き込む水引き込み路となっており、かつ、前記吐出部に供給する湯を前記水栓本体内に引き込む湯引き込み路が、前記水栓本体内で、前記原水供給路と合流するとともに、それら湯引き込み路と原水供給路との合流部分には、湯水混合バルブが設けられ、その湯水混合バルブが、前記第２のバルブを兼ねてもよい。
【０００９】
また、請求項４に記載の発明に係る水栓装置のように、請求項１ないし３のいずれか１項に記載の水栓装置において、前記水栓取付部は、流し台のシンク周縁部、または、洗面台あるいは手洗台のボール周縁部からなり、前記水栓本体は、その水栓取付部の上面側に取り付けられ、かつ、前記水栓取付部の下方には、キャビネットが設けられ、前記殺菌水生成器は、前記キャビネット内に形成された前記空間に隠蔽されるようにして配備されてもよい。
【００１０】
また、請求項５に記載の発明に係る水栓装置のように、請求項１ないし４のいずれか１項に記載の水栓装置において、前記殺菌水が、オゾン水からなるとともに、前記殺菌水生成器が、前記オゾン水を生成するオゾン水生成器からなり、あるいは、前記殺菌水が、電解次亜水からなるとともに、前記殺菌水生成器が、前記電解次亜水を生成する電解次亜水生成器からなってもよい。
【発明の効果】
【００１１】
この発明に係る水栓装置によれば、水栓取付部の表側での美観に優れ、しかも、殺菌水の吐出と原水の吐出との切り替えの操作を容易に行うことができる。
【発明を実施するための最良の形態】
【００１２】
以下、この発明に係る水栓装置を実施するための最良の形態を図面に基づいて説明する。図１は、本発明の一実施の形態を示す模式図である。図中符号１は、水栓装置である。２は、水栓装置１の水栓本体３が取り付けられる水栓取付部である。
【００１３】
この水栓装置１は、前記水栓本体３と、原水に処理を加えて殺菌水を生成する殺菌水生成器４とを備える。ここで、水栓装置１は、水栓本体３の吐出部３ａからの、前記殺菌水の吐出と前記原水の吐出との切り替えを制御する制御手段５と、その制御手段５による制御を操作するための操作部３ｂとを有する。また、操作部３ｂは、吐出部３ａとともに、水栓取付部２の表側に位置するように配備されている。そして、殺菌水生成器４は、水栓取付部２の、裏側の空間あるいは裏側に通じる空間２ａ（図示実施の形態においては、裏側の空間２ａ）に隠蔽されるように配備され、かつ、その殺菌水生成器４によって生成された前記殺菌水が、水栓本体３に送られるようになっている。
【００１４】
具体的には、水栓本体３は、後述する湯水混合バルブ５ｃを備える、湯水混合水栓である。また、前記殺菌水が、殺菌作用を有する成分が溶け込んだ水（湯）、例えば、オゾン水からなるとともに、前記殺菌水生成器４が、前記オゾン水を生成するオゾン水生成器４からなる。ここで、水栓取付部２は、例えば、水洗台としての流し台の天板部などにあって、そのシンク周縁部からなる。もっとも、この水栓取付部２は、例えば、他の水洗台としての洗面台（洗面化粧台を含む）あるいは手洗台の天板部などにあって、そのボール周縁部からなってもよい。そして、水栓本体３は、その水栓取付部２の表側である上面側に取り付けられている。また、水栓取付部２の下方には、例えば、キャビネット（図示せず）が設けられており、オゾン水生成器４（殺菌水生成器４）は、そのキャビネット内に形成された前記空間２ａに隠蔽されるようにして配備されている。詳細には、水栓本体３は、水栓取付部２の表側（詳細には、前記シンク周縁部または前記ボール周縁部の、上面側）に開口する、前記空間２ａに通じる取付孔（図示せず）に差し込まれるようにして、水栓取付部２に取り付けられている。また、吐出部３ａは、水栓本体３から延出するように形成されるとともに、その先端側に、吐出口３ｄが設けられている。
【００１５】
また、図示実施の形態においては、水栓装置１には、前記原水を水栓本体３内に引き込む原水引き込み路１０が形成されており、この原水引き込み路１０が、水栓本体３内で、吐出部３ａに前記殺菌水を供給する殺菌水供給路１１（図示実施の形態においては、吐出部３ａに前記オゾン水を供給するオゾン水供給路１１）と、吐出部３ａに前記原水を供給する原水供給路１２とに分岐している。また、このオゾン水供給路１１（殺菌水供給路１１）は、水栓本体３内に引き込まれた前記原水がオゾン水生成器４（殺菌水生成器４）に送られて、前記オゾン水（殺菌水）が生成され、生成されたそのオゾン水（殺菌水）が、水栓本体３に送られて、吐出部３ａに供給されるように形成されている。そして、制御手段５は、オゾン水供給路１１（殺菌水供給路１１）の、オゾン水生成器４（殺菌水生成器４）より上流側に設けられて、前記原水のオゾン水生成器４（殺菌水生成器４）への供給とその供給の停止とを切り替える第１のバルブ５ａと、原水供給路１２に（詳細には、原水供給路１２の途中に）設けられて、前記原水の吐出部３ａへの供給とその供給の停止とを切り替える第２のバルブ５ｂとを備える。詳細には、原水引き込み路１０は、前記原水としての水を水栓本体３内に引き込む水引き込み路１０ａとなっている。また、吐出部３ａに供給する湯を水栓本体３内に引き込む湯引き込み路１３が、その水栓本体３内で、原水供給路１２と合流するとともに、それら湯引き込み路１３と原水供給路１２との合流部分には、湯水混合バルブ５ｃが設けられている。そして、この湯水混合バルブ５ｃが、前記第２のバルブ５ｂを兼ねている。
【００１６】
具体的には、空間２ａ内には、水栓本体３に水を供給する給水管（図示せず）と、水栓本体３に湯を供給する給湯管（図示せず）とが引き込まれている。そして、水栓取付部２の表側（詳細には、前記シンク周縁部または前記ボール周縁部の、上面側）に取り付けられた水栓本体３と、前記給水管および前記給湯管とが接続されて、水引き込み路１０ａおよび湯引き込み路１３が形成されている。そして、オゾン水供給路１１（殺菌水供給路１１）は、第１のバルブ５ａおよびオゾン水生成器４（殺菌水生成器４）を経由して、吐出部３ａと繋がっている。また、原水供給路１２は、第２のバルブ５ｂ（湯水混合バルブ５ｃ）にて、湯引き込み路１３と合流するとともに、その第２のバルブ５ｂ（湯水混合バルブ５ｃ）を経由して吐出部３ａと繋がっている。図示実施の形態においては、オゾン水供給路１１（殺菌水供給路１１）と原水供給路１２とは、吐出部３ａの手前で合流してから、その吐出部３ａと繋がっている。
【００１７】
ここで、オゾン水生成器４にあっては、その内部に、オゾンを発生させるオゾン発生器（図示せず）を備えており、オゾン水生成器４内に流入した前記原水に、前記オゾン発生器で発生させた前記オゾンを混合溶解させる処理を加えて、前記オゾン水を生成している。詳細には、オゾン水生成器４は、例えば、２本の通水管（図示せず）を介して、水栓本体３に接続されている。また、オゾン水生成器４は、その内部に発電機（図示せず）を備えており、その発電機によって生じる電力を使用して、前記オゾン発生器を稼動させている。具体的には、前記発電機は、そのオゾン水生成器４内を通過する流水によって回転するタービンを備えており、そのタービンが回転することで、電力が生じるようになっている。すなわち、前記第１のバルブ５ａを開くと、水栓本体３から、一方側の前記通水管を通ってオゾン水生成器４に前記原水が送られる。そして、その原水によって前記タービンが回転して前記オゾンが発生するとともに、そのオゾンが前記原水に混合溶解されて、前記オゾン水が生成される。さらに、生成されたそのオゾン水が、オゾン水生成器４から、他方側の前記通水管を通って水栓本体３へと送られる。一方、前記第１のバルブ５ａを閉じると、水栓本体３からオゾン水生成器４に前記原水が送られなくなる。これにより、前記タービンは回転せず、前記オゾンが発生しなくなるため、前記オゾン水は生成されない。したがって、前記オゾン水が水栓本体３へ送られることもない。こうして、第１のバルブ５ａによる、前記原水のオゾン水生成器４（殺菌水生成器４）への供給とその供給の停止との切り替えに連動して、前記オゾン水（殺菌水）の生成とその生成の停止とが切り替えられ、それに伴って、前記オゾン水（殺菌水）の吐出部３ａへの供給とその供給の停止とが切り替えられることとなる。
【００１８】
また、操作部３ｂは、第１のバルブ５ａの開閉を操作するための第１の操作部６ａと、第２のバルブ５ｂ（図示実施の形態においては、湯水混合バルブ５ｃ）の開閉を操作するための第２の操作部６ｂとを備える。具体的には、第１の操作部６ａおよび第２の操作部６ｂは、水栓本体３に一体的に設けられた、操作レバーからなる。図示実施の形態においては、第２の操作部６ｂを操作して、第２のバルブ５ｂ（湯水混合バルブ５ｃ）にて、前記原水としての水に前記湯を混合させることで、吐出部３ａに供給する原水の温度を調節できるようになっている。そして、第１の操作部６ａおよび第２の操作部６ｂは、ともに水栓取付部２の表側（詳細には、前記シンク周縁部または前記ボール周縁部の、上面側）に配備されている。
【００１９】
なお、水栓本体３の具体的な形状は、使用目的やデザイン等に応じて任意に決定すればよい。ここで、水栓本体３の具体的な形状の一例を、図２に示す。この図２に示す水栓本体３は、シングルレバー式の湯水混合水栓であって、その上端部分に、第２の操作部６ｂが設けられている。また、水栓本体３の胴部、詳しくはその側面部の、水栓取付部２の表側（詳細には、前記シンク周縁部または前記ボール周縁部の、上面側）よりやや上方に、第１の操作部６ａが設けられている。
【００２０】
次に、この水栓装置１におけるオゾン水（殺菌水）および原水の流れを説明する。オゾン水（殺菌水）を吐出する場合にあっては、第２のバルブ５ｂ（図示実施の形態においては、湯水混合バルブ５ｃ）を閉じた状態で、第１の操作部６ａを操作して、第１のバルブ５ａを開く。これにより、原水（詳細には、原水としての水）がオゾン水生成器４（殺菌水生成器４）に送られてオゾン水（殺菌水）が生成され、生成されたオゾン水（殺菌水）が水栓本体３に送られる。そして、そのオゾン水（殺菌水）が吐出部３ａに供給されて、吐出口３ｄから吐出される。また、原水を吐出する場合にあっては、第１のバルブ５ａを閉じた状態で、第２の操作部６ｂを操作して、第２のバルブ５ｂ（図示実施の形態においては、湯水混合バルブ５ｃ）を開く。これにより、原水（詳細には、原水としての水、または、原水としての水に前記湯が混合してなる混合湯）が吐出部３ａに供給されて、吐出口３ｄから吐出される。このように、制御手段５（詳細には、第１のバルブ５ａおよび第２のバルブ５ｂ）は、前記オゾン水（殺菌水）と前記原水とを切り替えて、水栓本体３からその吐出部３ａに供給することにより、前記オゾン水（殺菌水）の吐出と前記原水の吐出との切り替えを制御するようになっている。なお、図示実施の形態にあっては、第１のバルブ５ａおよび第２のバルブ５ｂ（湯水混合バルブ５ｃ）の双方を同時に開くと、前記オゾン水（殺菌水）と前記原水（詳細には、前記水または混合湯）とが、オゾン水供給路１１（殺菌水供給路１１）と原水供給路１２との合流部分にて混合される。これにより、前記オゾン水（殺菌水）が、前記原水（詳細には、前記水または混合湯）によって稀釈されて、吐出部３ａへと供給され、吐出口３ｄから吐出されることになる。また、第１のバルブ５ａおよび第２のバルブ５ｂ（湯水混合バルブ５ｃ）の双方を閉じた場合には、前記オゾン水（殺菌水）および前記原水（詳細には、前記水または混合湯）は、どちらも吐出部３ａには供給されず、吐出口３ｄから吐出されない。
【００２１】
次に、以上の構成からなる水栓装置１の作用効果について説明する。この水栓装置１にあっては、殺菌水生成器４（詳細には、オゾン水生成器４）が、水栓取付部２の裏側の空間２ａ（詳細には、前記キャビネット内に形成された空間２ａ）に隠蔽されるようにして配備されているため、水栓取付部２の表側（詳細には、前記シンク周縁部または前記ボール周縁部の、上面側）での美観に優れ、また、水栓取付部２の表側（詳細には、前記シンク周縁部または前記ボール周縁部の、上面側）の作業スペースを狭くすることもない。しかも、制御手段５（詳細には、第１のバルブ５ａおよび第２のバルブ５ｂ）を操作するための操作部３ｂ（詳細には、第１の操作部６ａおよび第２の操作部６ｂ）が、水栓取付部２の表側（詳細には、前記シンク周縁部または前記ボール周縁部の、上面側）に配備されているため、殺菌水（詳細には、オゾン水）の吐出と原水の吐出との切り替えの操作を容易に行うことができる。
【００２２】
また、第１のバルブ５ａは、殺菌水供給路１１（詳細には、オゾン水供給路１１）の、殺菌水生成器４（詳細には、オゾン水生成器４）より上流側に設けられているため、第１のバルブ５ａを閉じても、原水の過大な水圧が殺菌水生成器４（詳細には、オゾン水生成器４）にかかることはない。
【００２３】
さらには、オゾン水生成器４は、前記発電機を備えているため、オゾン水生成器４（水栓装置１）に、例えば、空間２ａ（詳細には、前記キャビネット内に形成された空間２ａ）に付設されたコンセント等に接続するための接続器具（例えば、電源アダプタや電気ケーブル等）を設けたり、あるいは、蓄電池とか乾電池等の他の電力供給源を設けたりする必要がない。
【００２４】
なお、本発明は、上述した実施の形態に限定されるわけではなく、その他種々の変更が可能である。例えば、水栓本体３は、前記シンク周縁部または前記ボール周縁部からなる水栓取付部２の、表側である上面側に取り付けられなくてもよく、裏側である下面側に取り付けられてもよい。このとき、水栓本体３は、前記シンク周縁部または前記ボール周縁部からなる水栓取付部２の、下面側に取り付けられ、かつ、操作部３ｂ（詳細には、第１の操作部６ａおよび第２の操作部６ｂ）ならびに吐出部３ａは、水栓取付部２の表側（詳細には、前記シンク周縁部または前記ボール周縁部の、上面側）に位置するように配備されることとなる。また、水栓本体３は、水栓取付部２に直接的に取り付けられなくてもよく、例えば、取付具等を介して、水栓取付部２の表側あるいは裏側に間接的に取り付けられてもよい。また、水栓取付部２は、前記シンク周縁部または前記ボール周縁部からならなくてもよく、例えば、流し台、洗面台、手洗台等の水洗台の奥側に立設する立壁部（あるいは壁）からなってもよい。そして、その立壁部（あるいは壁）の表側あるいは裏側に、水栓本体３が、直接的または間接的に取り付けられてもよい。さらには、水栓取付部２は、浴室のカウンターやその奥側の立壁部（あるいは壁）、または、浴槽の側壁部等からなってもよい。また、水栓本体３は、シャワー用の水栓であってもよい。また、殺菌水生成器４（詳細には、オゾン水生成器４）は、前記キャビネット内に形成された空間２ａに配備されなくてもよく、例えば、前記キャビネット内に形成された空間２ａとは異なる空間（例えば、前記シンク周縁部または前記ボール周縁部からなる水栓取付部２の下方の、前記キャビネットとは異なる収容部内に形成された空間等）とか、あるいは、前記立壁部からなる水栓取付部の裏側に形成された空間などに配備されてもよい。
【００２５】
また、殺菌水生成器４（詳細には、オゾン水生成器４）は、水栓取付部２の裏側の空間２ａに配備されなくてもよく、水栓取付部２の裏側に通じる空間２ａに配備されてもよい。ここにおいて、例えば、水栓取付部２が、流し台、洗面台、手洗台等の水洗台の奥側に立設する立壁部（あるいは壁）からなるとともに、殺菌水生成器４（詳細には、オゾン水生成器４）が、その水洗台の下方に形成された、前記立壁部（あるいは壁）の裏側に通じる空間に隠蔽されるようにして配備されてもよい。
【００２６】
また、殺菌水生成器４（詳細には、オゾン水生成器４）は、前記通水管を介して、水栓本体３に接続されていなくてもよく、例えば、水栓本体３と、空間２ａに隠蔽されるようにして配備される殺菌水生成器４（詳細には、オゾン水生成器４）とが、一体となっていてもよい。なお、殺菌水生成器４（詳細には、オゾン水生成器４）の形状、大きさおよび内部構造等については、本発明の趣旨を逸脱しない範囲において、任意に設定できる。
【００２７】
また、図３に示されるように、吐出部３ａは、先端に吐出ヘッド３ｅを有し、その吐出部３ａが、例えば、フレキシブルホース３ｆ等のホースを介して水栓本体３に接続されていて、ホルダー３ｇより引き出し可能となっていてもよい（以下に示す、他の実施の形態においても同様である）。ここにおいて、吐出ヘッド３ｅは、前記殺菌水（詳細には、オゾン水）および前記原水の吐出口３ｄからの吐出を、シャワー吐出と整流吐出とで切り替え可能になっていてもよい。
【００２８】
また、第１のバルブ５ａは、殺菌水供給路１１（詳細には、オゾン水供給路１１）の、殺菌水生成器４（詳細には、オゾン水生成器４）の上流側に設けられていなくてもよく、例えば、図４に示されるように、殺菌水生成器４（詳細には、オゾン水生成器４）の下流側に設けられていてもよい。なお、この実施の形態においては、第１のバルブ５ａは、前記原水のオゾン水生成器４（殺菌水生成器４）への供給とその供給の停止とを切り替えるのではなく、オゾン水生成器４（殺菌水生成器４）によって生成されたオゾン水（殺菌水）の吐出部３ａへの供給とその供給の停止とを直接切り替えることとなる。
【００２９】
また、水栓本体３は、湯水混合バルブ５ｃを備える、湯水混合水栓でなくてもよく、例えば、図５に示されるように、単水栓であってもよい。この実施の形態にあっては、水栓装置１には、前記湯引き込み路は形成されておらず、また、水栓本体３には、湯水混合バルブは設けられていない。このため、第２のバルブ５ｂを開閉することによって、原水（詳細には、原水としての水）の、吐出部３ａへの供給とその供給の停止とが切り替えられることになる。また、この実施の形態においても、第１のバルブ５ａは、殺菌水生成器４（詳細には、オゾン水生成器４）の下流側に設けられてもよい。
【００３０】
また、原水引き込み路１０（図示実施の形態においては、水引き込み路１０ａ）は、水栓本体３内で、殺菌水供給路１１（詳細には、オゾン水供給路１１）と原水供給路１２とに分岐していなくてもよく、例えば、原水引き込み路１０（図示実施の形態においては、水引き込み路１０ａ）を２本備え、そのうちの一方側が殺菌水供給路１１（詳細には、オゾン水供給路１１）と繋がり、他方側が原水供給路１２と繋がってもよい。
【００３１】
また、制御手段５は、例えば、図６に示されるように、前記オゾン発生器による前記オゾンの発生を制御するスイッチ５ｄを有していてもよい。この実施の形態においては、水栓本体３には、その内部にスイッチ５ｄが設けられるとともに、水栓取付部２の表側（詳細には、前記シンク周縁部または前記ボール周縁部の、上面側）に、スイッチ５ｄを操作するためのスイッチ操作部６ｃが配備されている（図中一点鎖線１４は、スイッチ５ｄおよびオゾン水生成器４と、スイッチ操作部６ｃとの電気的な接続を示す）。また、オゾン水生成器４は、一方側の前記通水管を介して、前記給水管と接続されるとともに、他方側の前記通水管を介して、水栓本体３に接続されている。また、オゾン水生成器４は、前記発電機を有しておらず、空間２ａ（詳細には、前記キャビネット内に形成された空間２ａ）に付設されたコンセント等（図示せず）に、例えば、電源アダプタや電気ケーブル等の接続器具１５を介して接続されている。また、水栓本体３は、第１のバルブ５ａと第１の操作部６ａとを備える。すなわち、この図示実施の形態においては、スイッチ５ｄおよび第１のバルブ５ａが、制御手段５となっており、また、スイッチ操作部６ｃおよび第１の操作部６ａが、操作部３ｂとなっている。
【００３２】
ここで、スイッチ操作部６ｃをオン操作すると、前記オゾン発生器に電力が供給されて、そのオゾン発生器から前記オゾンが発生し、前記オゾン水が生成される。また、スイッチ操作部６ｃをオフ操作すると、前記オゾン発生器には電力が供給されず、そのオゾン発生器から前記オゾンが発生されないため、前記オゾン水は生成されない。そして、第１のバルブ５ａを開くと、スイッチ操作部６ｃがオン操作された状態である場合には、前記オゾン水が吐出部３ａに供給され、また、スイッチ操作部６ｃがオフ操作された状態である場合には、前記原水が吐出部３ａに供給される。こうして、制御手段５（詳細には、スイッチ５ｄおよび第１のバルブ５ａ）は、前記オゾン水と前記原水とを切り替えて、水栓本体３からその吐出部３ａに供給することにより、前記オゾン水の吐出と前記原水の吐出との切り替えを制御する。なお、第１のバルブ５ａを閉じた状態では、スイッチ操作部６ｃの操作にかかわらず、前記オゾン水および前記原水は、どちらも吐出部３ａには供給されず、吐出口３ｄからも吐出されない。
【００３３】
そして、この実施の形態のように、オゾン水生成器４は、前記発電機を有していなくてもよい。また、オゾン水生成器４には、接続器具１５の代わりに、蓄電池とか乾電池等の他の電力供給源が設けられていてもよい。また、この実施の形態のように、殺菌水供給路１１（詳細には、オゾン水供給路１１）は、水栓本体３内に引き込まれた前記原水が殺菌水生成器４（詳細には、オゾン水生成器４）に送られて、前記殺菌水（詳細には、オゾン水）が生成されるように形成されていなくてもよい。
【００３４】
また、吐出部３ａは、以上に示した実施の形態とは異なり、複数個設けられてもよい。ここにおいて、例えば、複数個設けられた吐出部のうちの一方側の吐出部に殺菌水供給路１１（詳細には、オゾン水供給路１１）が繋がり、他方側の吐出部に原水供給路１２が繋がっていてもよい。そして、このように、殺菌水供給路１１（詳細には、オゾン水供給路１１）と原水供給路１２とが吐出部３ａの手前で合流しなくてもよい。
【００３５】
また、第１のバルブ５ａおよび第２のバルブ５ｂは、電気で作動するバルブ（例えば、電磁弁等）であってもよい。そして、操作部３ｂ（詳細には、第１の操作部６ａおよび第２の操作部６ｂ）は、操作レバーでなくても、前記バルブ（電磁弁等）による制御を操作するためのスイッチ操作部であってもよい。
【００３６】
また、制御手段５、詳しくは、制御手段５である第１のバルブ５ａおよび／または第２のバルブ５ｂ（第１のバルブ５ａおよび／またはスイッチ５ｄ）は、水栓本体３内に備わっていなくてもよく、例えば、水栓本体３と殺菌水生成器４（詳細には、オゾン水生成器４）とを繋ぐ配管部分等に備わっていてもよい。
【００３７】
また、図示実施の形態においては、殺菌水生成器４（詳細には、オゾン水生成器４）には、原水としての水が供給されるようになっているが、例えば、原水としての湯、あるいは、原水としての水と原水としての湯とが混合されてなる混合湯が供給され、それら湯に処理を加えてオゾン水を生成するようになっていてもよい。
【００３８】
また、操作部３ｂ、詳しくは、操作部３ｂである第１の操作部６ａおよび／または第２の操作部６ｂ（第１の操作部６ａおよび／またはスイッチ操作部６ｃ）は、水栓本体３に設けられていなくてもよく、例えば、流し台、洗面台、手洗台等の水洗台の天板部などにあって、そのシンク周縁部とかボール周縁部とかの上面側や、あるいは、流し台、洗面台、手洗台等の水洗台の奥側に立設する立壁部（あるいは壁）の表側に設けられてもよい。さらには、操作部３ｂ、詳しくは、操作部３ｂである第１の操作部６ａおよび／または第２の操作部６ｂ（第１の操作部６ａおよび／またはスイッチ操作部６ｃ）が、浴室のカウンター上面側とか、そのカウンターの奥側に立設する立壁部（あるいは壁）の表側、または、浴槽の周縁部の上面側等に設けられてもよい。
【００３９】
また、前記殺菌水が、オゾン水からなるとともに、前記殺菌水生成器４が、前記オゾン水を生成するオゾン水生成器４からならなくてもよく、例えば、前記殺菌水が、電解次亜水からなるとともに、前記殺菌水生成器４が、前記電解次亜水を生成する電解次亜水生成器であってもよい。あるいは、前記殺菌水が、前記オゾン水および前記電解次亜水以外の、他の殺菌水からなるとともに、前記殺菌水生成器４が、前記他の殺菌水を生成する他の殺菌水生成器であってもよい。
【００４０】
ここで、電解次亜水生成器とは、原水に食塩等を添加した塩水を電気分解して、電解次亜水を生成する生成器である。そして、水栓本体３から一方側の前記通水管を通って前記電解次亜水生成器に送られた前記原水が、その電解次亜水生成器によって、食塩等の添加および電気分解の処理が加えられることによって、前記電解次亜水が生成され、生成されたその電解次亜水が、前記電解次亜水生成器から、他方側の前記通水管を通って水栓本体３へと送られる。なお、高濃度の塩水から前記電解次亜水を生成し、生成したその電解次亜水を原水で稀釈してから、水栓本体３（あるいは、水栓本体３の吐出部３ａ）へ送っても構わない。また、水栓本体３と、空間２ａに隠蔽されるようにして配備される前記電解次亜水生成器とが、一体となっていてもよい。
【図面の簡単な説明】
【００４１】
【図１】この発明の第一の実施の形態を示す模式図である。
【図２】同じく、水栓本体の具体的な形状の一例を示す側面図である。
【図３】この発明の第二の実施の形態を示す模式図である。
【図４】この発明の第三の実施の形態を示す模式図である。
【図５】この発明の第四の実施の形態を示す模式図である。
【図６】この発明の第五の実施の形態を示す模式図である。
【符号の説明】
【００４２】
１    水栓装置
２    水栓取付部
２ａ  空間
３    水栓本体
３ａ  吐出部
３ｂ  操作部
４    殺菌水生成器（オゾン水生成器）
５    制御手段
５ａ  第１のバルブ
５ｂ  第２のバルブ
５ｃ  湯水混合バルブ
１０  原水引き込み路
１０ａ  水引き込み路
１１  殺菌水供給路（オゾン水供給路）
１２  原水供給路
１３  湯引き込み路
【図１】
2010090586.tif 000003
【図２】
2010090586.tif 000004
【図３】
2010090586.tif 000005
【図４】
2010090586.tif 000006
【図５】
2010090586.tif 000007
【図６】
2010090586.tif 000008